(57)【要約】【課題】柔軟かつ軽快な印象を与えつつ、高い強度を有する仕切装置を提供する。【解決手段】仕切装置１は、床面Ｆ上に設置されるベース部２と、ベース部２から上方に向かって互いに接近するように延在する一対の支柱３と、一対の支柱３の上端部３ｔに支持されるとともに、左右方向に延在する横フレーム４と、横フレーム４に支持された膜材５と、を備える。【選択図】図１
2020062138.tif 000002
【特許請求の範囲】
【請求項１】
床面上に設置されるベース部と、
前記ベース部から上方に向かって互いに接近するように延在する一対の支柱と、
一対の前記支柱の上端部に支持されるとともに、上下方向に交差する方向に延在する横フレームと、
前記横フレームに支持された膜材と、
を備える仕切装置。
【請求項２】
前記ベース部は、
一方の前記支柱の下端が接続された第一接続部と、
他方の前記支柱の下端が接続された第二接続部と、
前記第一接続部と前記第二接続部との間において、前記床面に沿って円弧状に湾曲した湾曲部と、を有する請求項１に記載の仕切装置。
【請求項３】
一対の前記支柱は、下方から上方に向かうに従い、平面視において前記湾曲部の曲率中心に向けて傾斜して延在している請求項２に記載の仕切装置。
【請求項４】
一対の前記支柱の上端部をまとめて連結する連結部材を備え、
前記横フレームは、前記連結部材を介して前記支柱に支持されている請求項１から３のいずれか一項に記載の仕切装置。
【請求項５】
前記連結部材は、一対の前記支柱の上端部が挿入される支柱挿入凹部が形成された第一部材を有する請求項４に記載の仕切装置。
【請求項６】
前記連結部材は、一対の前記支柱の上端部同士を連結する支柱連結部材を備え、
前記支柱連結部材は、一対の前記支柱の上端部同士を連結した状態で、一対の前記支柱の上端部とともに、前記支柱挿入凹部内に挿入されている請求項５に記載の仕切装置。
【請求項７】
前記連結部材は、前記支柱挿入凹部に挿入された一対の前記支柱の上端部を前記第一部材に締結する上端締結ボルトを備える請求項５又は６に記載の仕切装置。
【請求項８】
一対の前記支柱は、前記横フレームの延伸方向に並んだ状態で前記支柱挿入凹部内に挿入されている請求項５から７のいずれか一項に記載の仕切装置。
【請求項９】
前記連結部材は、前記横フレームを挟んで前記第一部材に対向して配置されるとともに、前記第一部材に締結される第二部材を備える請求項５から８のいずれか一項に記載の仕切装置。
【請求項１０】
前記第一部材及び前記第二部材の少なくとも一方に、前記横フレームの延伸方向に延び、前記横フレームの少なくとも一部を収容する収容溝が形成されている請求項９に記載の仕切装置。
【請求項１１】
前記第一部材と前記第二部材は、前記収容溝に前記横フレームが収容された状態で、互いに突き当たっている請求項１０に記載の仕切装置。
【発明の詳細な説明】
【技術分野】
【０００１】
本発明は、仕切装置に関する。
【背景技術】
【０００２】
室内空間を仕切る仕切装置として、硬質の板状のパネルを用いたものが多く用いられている。これに対し、より柔らかい印象を与える仕切装置として、布地等の軟質な材料からなるシートを用いたものがある。
例えば、特許文献１には、左右一対の縦枠及びこれらの縦枠を連結する横枠を有する矩形のフレーム枠と、フレーム枠の内側に設けた上下一対のシート支持棒と、上下一対のシート支持棒に両端が支持された布地からなる衝立用シートと、を備える構成が開示されている。このような構成においては、布地からなる衝立用シートを採用しているものの、その周囲が矩形のフレーム枠によって囲まれているため、依然として硬い印象を与えている。
【０００３】
これに対し、特許文献２には、ベースから立ち上がる１本の支柱と、水平に延び、支柱の上端に中央部が取り付けられた横フレームと、カーテン素材からなり、支柱及び横フレームを覆うように被せた張材と、を備える構成が開示されている。このような構成では、支柱と横フレームとが略Ｔ字状に組まれており、張材の両側に支柱が露出しない。このため、特許文献１に開示されたような構成に対し、より柔らかく、軽快な印象を与えることができる。
【先行技術文献】
【特許文献】
【０００４】
【特許文献１】実開平６−１３６３６号公報
【特許文献２】特開２００８−１１９２１５号公報
【発明の概要】
【発明が解決しようとする課題】
【０００５】
しかしながら、特許文献２に開示されたような構成では、張材を支持する横フレームは、その中央部が１本の支柱の上端に取り付けられている。このため、横フレームが支柱との接合部分を中心として水平面内及び鉛直面内で回動（揺動）する方向の力が加わったときに、横フレームと支柱との接合部分に大きなモーメントが作用する。このため、横フレームに前記モーメントが発生する方向の力が加わった場合、横フレームと支柱との接合部分が変形したり破損したりする場合がある。
本発明は、柔軟かつ軽快な印象を与えつつ、高い強度を有する仕切装置を提供することを目的とする。
【課題を解決するための手段】
【０００６】
上記目的を達成するために、本発明の一態様に係る仕切装置は、床面上に設置されるベース部と、前記ベース部から上方に向かって互いに接近するように延在する一対の支柱と、一対の前記支柱の上端部に支持されるとともに、上下方向に交差する方向に延在する横フレームと、前記横フレームに支持された膜材と、を備える。
【０００７】
このように、膜材を支持する横フレームが、一対の支柱の上端部に支持されることで、一本の支柱のみで横フレームを支持する場合に比較し、横フレームを強固に支持することができる。
また、一対の支柱は、下方から上方に向かって接近するよう延在しているので、支柱の安定性を確保しつつ、支柱の上部では、支柱が膜材の両側に露出するのを抑え、柔軟かつ軽快な印象を与えることができる。
【０００８】
本発明の一態様に係る仕切装置において、前記ベース部は、一方の前記支柱の下端が接続された第一接続部と、他方の前記支柱の下端が接続された第二接続部と、前記第一接続部と前記第二接続部との間において、前記床面に沿って円弧状に湾曲した湾曲部と、を有するようにしてもよい。
この構成によれば、ベース部が円弧状をなし、特徴的な外観を呈することができる。
【０００９】
本発明の一態様に係る仕切装置において、一対の前記支柱は、下方から上方に向かうに従い、平面視において前記湾曲部の曲率中心に向けて傾斜して延在するようにしてもよい。
この構成によれば、支柱が湾曲部の曲率中心に向けて傾斜することで、仕切装置の安定性が高まる。
【００１０】
本発明の一態様に係る仕切装置において、一対の前記支柱の上端部をまとめて連結する連結部材を備え、前記横フレームは、前記連結部材を介して前記支柱に支持されるようにしてもよい。
この構成によれば、一対の支柱の上端部と横フレームとを連結部材を介して連結することで、一対の支柱の上端部と横フレームとを溶接により接合する場合に比較し、組立性に優れる。
また、仕切装置の組立前の状態では、支柱と横フレームとを別々に取り扱うことができるので、嵩張ることを抑え、運搬等の取り扱いを容易に行うことができる。
【００１１】
本発明の一態様に係る仕切装置において、前記連結部材は、一対の前記支柱の上端部が挿入される支柱挿入凹部が形成された第一部材を有するようにしてもよい。
この構成によれば、一対の支柱の上端部を、第一部材の支柱挿入凹部に挿入することで、一対の支柱と第一部材とを容易に連結することができる。
【００１２】
本発明の一態様に係る仕切装置において、前記連結部材は、一対の前記支柱の上端部同士を連結する支柱連結部材を備え、前記支柱連結部材は、一対の前記支柱の上端部同士を連結した状態で、一対の前記支柱の上端部とともに、前記支柱挿入凹部内に挿入されるようにしてもよい。
この構成によれば、一対の支柱の上端部同士を支柱連結部材で連結することで、二本一対の支柱が強固に連結される。
【００１３】
本発明の一態様に係る仕切装置において、前記連結部材は、前記支柱挿入凹部に挿入された一対の前記支柱の上端部を前記第一部材に締結する上端締結ボルトを備えるようにしてもよい。
この構成によれば、支柱挿入凹部に挿入された一対の支柱の上端部を、上端締結ボルトで連結部材に連結することで、一対の支柱と連結部材とが強固に連結される。これにより、仕切装置の組立時には、一対の支柱に強固に連結された連結部材に、横フレームを取り付ければよく、横フレームの取付作業を容易かつ安定的に行うことができる。
【００１４】
本発明の一態様に係る仕切装置において、一対の前記支柱は、前記横フレームの延伸方向に並んだ状態で前記支柱挿入凹部内に挿入されるようにしてもよい。
この構成によれば、一対の支柱が並ぶ方向と、横フレームの延伸方向とを正確に位置合わせした状態で、一対の支柱に対して連結部材を取り付けることができる。
【００１５】
本発明の一態様に係る仕切装置において、前記連結部材は、前記横フレームを挟んで前記第一部材に対向して配置されるとともに、前記第一部材に締結される第二部材を備えるようにしてもよい。
この構成によれば、一対の支柱は、上記したように第一部材の支柱挿入凹部に挿入されることで、第一部材に連結される。また、横フレームは、締結部材によって互いに締結される第一部材と第二部材との間に挟み込まれた状態で保持される。このような仕切装置では、一対の支柱を、第一部材の支柱挿入凹部に挿入した後、第一部材と第二部材との間に横フレームを挟み込み、第一部材と第二部材とを締結することで、組み立てることができる。
【００１６】
本発明の一態様に係る仕切装置において、前記第一部材及び前記第二部材の少なくとも一方に、前記横フレームの延伸方向に延び、前記横フレームの少なくとも一部を収容する収容溝が形成されるようにしてもよい。
この構成によれば、横フレームの少なくとも一部を、第一部材及び第二部材の少なくとも一方に形成された収容溝に収容することで、横フレームの延伸方向に交差する方向に横フレームが移動するのを抑え、横フレームを強固に保持することができる。
【００１７】
本発明の一態様に係る仕切装置において、前記第一部材と前記第二部材は、前記収容溝に前記横フレームが収容された状態で、互いに突き当たるようにしてもよい。
この構成によれば、横フレームを挟む第一部材と第二部材とが互いに直接突き当たることで、第一部材と第二部材とが第一部材と第二部材との対向方向で位置決めされる。これにより、第一部材と第二部材とで、横フレームを過度に強く挟み込むのを抑えることができる。
【発明の効果】
【００１８】
本発明の一態様によれば、柔軟かつ軽快な印象を与えつつ、高い強度を有する仕切装置を提供することが可能となる。
【図面の簡単な説明】
【００１９】
【図１】本発明の実施形態に係る仕切装置の全体構成を示す正面図である。
【図２】上記仕切装置の側面図である。
【図３】上記仕切装置の平面図である。
【図４】上記仕切装置における支柱と横フレームとの連結部を示す正面図である。
【図５】上記仕切装置における支柱と横フレームとの連結部を示す平面図である。
【図６】上記仕切装置における支柱と横フレームとの連結部を示す側断面図であり、図５のＡ−Ａ矢視断面図である。
【図７】上記仕切装置の連結部材を構成するメインブラケットを示す正面図である。
【図８】上記メインブラケットの側断面図である。
【図９】上記支柱の上端部同士を連結する支柱連結プレートを示す正面図である。
【図１０】上記連結部材を構成するカバーブラケットを示す側面図である。
【発明を実施するための形態】
【００２０】
以下、添付図面を参照して、本発明による仕切装置を実施するための形態を説明する。しかし、本発明はこの実施形態のみに限定されるものではない。
【００２１】
図１は、本発明の実施形態に係る仕切装置１の全体構成を示す正面図である。図２は、上記仕切装置１の側面図である。図３は、上記仕切装置１の平面図である。以下の説明において、支柱３に対して膜材５が設けられる側を前側（矢印ＦＲ）とし、支柱３が配置される側を後側とした。また、鉛直方向において床面Ｆ側を下側とし、その反対側を上側（矢印ＵＰ）とする。さらに、前後方向と上下方向とに直交する方向において、仕切装置１を前側から見たときの左方を左側（矢印ＬＨ）、その反対側を右側とした。
図１〜図３に示すように、仕切装置１は、ベース部２と、一対の支柱３と、横フレーム４と、膜材５と、連結部材１０と、を備えている。本実施形態において、ベース部２及び支柱３によりスタンド本体１１が構成され、スタンド本体１１、横フレーム４及び連結部材１０により膜材スタンド１２が構成されている。
【００２２】
ベース部２は、床面Ｆ上に設置されている。ベース部２は、例えば断面円形の金属棒により形成されている。なお、ベース部２は、中空であっても、中実であってもよい。
【００２３】
ベース部２は、平面視略Ｃ字状に形成されている。ベース部２は、第一端部（第一接続部）２ａと、第二端部（第二接続部）２ｂと、湾曲部２ｃと、を一体に有している。湾曲部２ｃは、第一端部２ａと第二端部２ｂとの間において、床面Ｆに沿って一様な曲率半径で円弧状に湾曲している。本実施形態において、湾曲部２ｃの中心角は、周方向に１８０°以上になっている。湾曲部２ｃの中心角は、適宜変更が可能である。但し、湾曲部２ｃの中心角を１８０°以上とすることで、スタンド本体１１を安定して設置することができる。ベース部２の平面視形状は、適宜変更が可能である。例えばベース部２の平面視形状は、円形状や多角形状等の閉ループ形状であってもよく、曲率半径が異なる円弧の組み合わせ等であってもよい。また、ベース部２は、板状に形成されていてもよい。
【００２４】
一対の支柱３は、例えば断面円形の金属棒により形成されている。なお、支柱３は、中空であっても、中実であってもよい。また、支柱３の断面視形状は、適宜変更が可能である。
【００２５】
一対の支柱３のうち、一方の支柱３の下端３ｂは、ベース部２の第一端部２ａに接続されている。一対の支柱３のうち、他方の支柱３の下端３ｂは、ベース部２の第二端部２ｂに接続されている。なお、支柱３は、ベース部２に接合されていても、ベース部２に一体で形成されていてもよい。また、ベース部２の平面視形状が上述した閉ループ形状の場合のように、支柱３の下端３ｂは必ずしもベース部２の端部に接続されていなくてもよい。
【００２６】
一対の支柱３は、下方から上方に向かうに従い互いに漸次接近するよう設けられている。具体的に、支柱３は、上方に向かうに従い前方、かつ左右方向の内側に向けて延在している。すなわち、支柱３は、平面視において、ベース部２の曲率中心に向けて延在している。支柱３の上端部３ｔは、ベース部２の曲率中心を間に挟んで左右方向で並んでいる。但し、支柱３は、上方に向かうに従い互いに接近する方向に延在していれば、ベース部２の曲率中心に対して前後若しくは左右にずれていてもよい。
【００２７】
一対の支柱３の上端部３ｔは、鉛直上方に向かって互いに平行に延在している。図４に示すように、一対の支柱３の上端部３ｔには、上端面で開口する雌ねじ孔３ｈがそれぞれ形成されている。
【００２８】
図４は、上記仕切装置１における支柱３と横フレーム４との連結部を示す正面図である。図５は、上記仕切装置１における支柱３と横フレーム４との連結部を示す平面図である。図６は、上記仕切装置１における支柱３と横フレーム４との連結部を示す側断面図であり、図５のＡ−Ａ矢視断面図である。
図４〜図６に示すように、横フレーム４は、円筒状の金属パイプにより形成されている。横フレーム４は、左右方向（支柱３の上端部３ｔが並ぶ方向）に直線状に延在している。なお、横フレーム４は、中実であってもよい。また、横フレーム４の断面視形状は、適宜変更が可能である。
【００２９】
図４、図５に示すように、横フレーム４の中央部は、連結部材１０を介して一対の支柱３の上端部３ｔに接続されている。横フレーム４の中央部には、横フレーム４を前後方向（径方向）に貫通するボルト挿通孔４ｈが形成されている。横フレーム４のうち、ボルト挿通孔４ｈに対して左右方向（延伸方向）の両側には、突起挿入孔４ｇが形成されている。
【００３０】
図１に示すように、膜材５は、布地等の柔軟性を有した材料から形成されている。膜材５は、光透過性を有する材料により形成されていてもよく、光透過性を有さない材料により形成されていてもよい。図４に示すように、膜材５は、上端部に、左右方向に延びる筒状部５ａを有している。筒状部５ａには、横フレーム４が挿通されている。これにより、膜材５は、横フレーム４に吊り下げられた状態で支持されている。なお、膜材５の上端部において、左右方向の中央部には、切欠き部５ｂが形成されている。切欠き部５ｂは、膜材５と連結部材１０との干渉を避けている。
【００３１】
図４〜図６に示すように、連結部材１０は、一対の支柱３の上端部３ｔと、横フレーム４の中央部と、を連結する。連結部材１０は、メインブラケット（第一部材）２０と、カバーブラケット（第二部材）３０と、を備えている。
メインブラケット２０は、ブラケット本体２１と、支柱連結プレート（支柱連結部材）２７と、を備えている。
【００３２】
図７は、上記仕切装置１の連結部材１０を構成するメインブラケット２０を示す正面図である。図８は、上記メインブラケット２０の側断面図である。
図７、図８に示すように、ブラケット本体２１は、前後方向から見た正面視で円形状をなしている。ブラケット本体２１は、一対の支柱３の上端部３ｔが挿入される支柱挿入凹部２２を有している。支柱挿入凹部２２は、ブラケット本体２１の下端２１ａから上方に向かって窪むように形成されている。支柱挿入凹部２２は、上下方向に直交する断面視において、左右方向を長軸方向とする長孔状をなしている。図４、図５に示すように、支柱挿入凹部２２には、一対の支柱３が、左右方向に並んだ状態で挿入される。図７、図８に示すように、支柱挿入凹部２２は、ブラケット本体２１の下端２１ａから所定寸法の位置に、一対の支柱３の上端面が突き当たる突き当たり面２２ｆを有している。
【００３３】
ブラケット本体２１には、一対のボルト挿通孔２４が形成されている。ボルト挿通孔２４は、左右方向に間隔をあけて配置されている。ボルト挿通孔２４は、ブラケット本体２１の上部から下方に向かって延び、支柱挿入凹部２２内に連通している。ボルト挿通孔２４の上部は、下部に比べて内径が拡大された拡径凹部２４ａを構成している。
【００３４】
ブラケット本体２１の上部前面は、カバーブラケット３０に対向する対向側面２１ｃを構成している。対向側面２１ｃは、前後方向に直交する平坦面に形成されている。
【００３５】
ブラケット本体２１において、対向側面２１ｃの下方には、収容溝２５が形成されている。収容溝２５は、前方に向けて開口するＣ字状に形成されている。収容溝２５において、対向側面２１ｃからの最大深さは、横フレーム４の外径寸法よりも大きくなっている。収容溝２５は、ブラケット本体２１を左右方向に貫通している。収容溝２５は、横フレーム４の中央部を収容する。なお、収容溝２５において、対向側面２１ｃからの最大深さは、横フレーム４の外径以下であってもよい。
【００３６】
収容溝２５の左右方向の中央部には、支柱挿入凹部２２に連通する連通孔２５ｈが形成されている。また、収容溝２５の内面において、連通孔２５ｈに対して左右方向の両側に位置する部分には、前方に向けて突出する突起２５ｔがそれぞれ形成されている。図４〜図６に示すように、各突起２５ｔは、横フレーム４の上記した突起挿入孔４ｇに各別に挿入されている。すなわち、横フレーム４は、ブラケット本体２１に対する左右方向の移動や上下方向への傾きが規制された状態で、収容溝２５内に収容される。なお、ブラケット本体２１は、突起２５ｔを有さない構成であってもよい。
【００３７】
上記したボルト挿通孔２４内には、上端締結ボルト２３がそれぞれ挿通されている。各上端締結ボルト２３は、支柱挿入凹部２２内において、支柱３の雌ねじ孔３ｈ内に螺着されている。これにより、支柱３がブラケット本体２１に締結されている。なお、上端締結ボルト２３の頭部は、ボルト挿通孔２４の拡径凹部２４ａ内に収容されている。
【００３８】
図９は、上記支柱３の上端部３ｔ同士を連結する支柱連結プレート２７を示す正面図である。
図５、図９に示すように、支柱連結プレート２７は、一対の支柱３の上端部３ｔ同士を連結する。支柱連結プレート２７は、一対の支柱３の上端部３ｔにそれぞれ溶接されている。支柱連結プレート２７のうち、一対の支柱３同士の間に位置する部分には、雌ねじ孔２７ｈが形成されている。雌ねじ孔２７ｈは、支柱連結プレート２７を前後方向に貫通している。図６に示すように、支柱連結プレート２７は、一対の支柱３の上端部３ｔとともに、支柱挿入凹部２２内に挿入されている。支柱連結プレート２７は、支柱挿入凹部２２内で、支柱３に対して前方に配置されている。
【００３９】
図１０は、上記連結部材１０を構成するカバーブラケット３０を示す側面図である。
図１０に示すように、カバーブラケット３０は、カバープレート３１と、雄ねじ部（締結部材）３２と、を一体に備えている。カバープレート３１は、前後方向から見た正面視でブラケット本体２１と同等の外径を有する円板状をなしている。
雄ねじ部３２は、カバープレート３１の中心部から後方に突出している。
【００４０】
図６に示すように、カバーブラケット３０は、雄ねじ部３２が、横フレーム４のボルト挿通孔４ｈ、及び収容溝２５に形成された連通孔２５ｈを通して、支柱挿入凹部２２内において支柱連結プレート２７の雌ねじ孔２７ｈに締結されている。これにより、カバープレート３１は、メインブラケット２０の対向側面２１ｃに突き当たった状態で、メインブラケット２０のブラケット本体２１に接続されている。膜材スタンド１２は、収容溝２５に横フレーム４が収容された状態で、メインブラケット２０の対向側面２１ｃとカバーブラケット３０のカバープレート３１とが互いに直接突き当たって構成されている。なお、上述したように収容溝２５における対向側面２１ｃからの最大深さが、横フレーム４の外径以下の場合等において、カバープレート３１が横フレーム４に突き当たっていてもよい。
【００４１】
上記したような仕切装置１では、横フレーム４に支持された膜材５によって、仕切装置１が設置された室内空間を、柔軟な印象を与えながら仕切ることができる。
【００４２】
仕切装置１を組み立てるには、まずスタンド本体１１（ベース部２及び一対の支柱３）を、床面Ｆ上に設置する。このとき、一対の支柱３は、支柱連結プレート２７によって予め互いに連結されている。また、一対の支柱３の上端部３ｔは、ブラケット本体２１の支柱挿入凹部２２内に挿入され、上端締結ボルト２３によってブラケット本体２１に締結されている。
【００４３】
次に、膜材５の筒状部５ａに横フレーム４を通す。膜材５が取り付けられた横フレーム４は、その中央部を、膜材５の切欠き部５ｂを通してブラケット本体２１の収容溝２５に収容する。このとき、横フレーム４に形成された各突起挿入孔４ｇに、収容溝２５に設けられた突起２５ｔを挿入する。
【００４４】
続いて、カバーブラケット３０の雄ねじ部３２を、横フレーム４のボルト挿通孔４ｈ、収容溝２５に形成された連通孔２５ｈを通して、支柱挿入凹部２２内に収容された支柱連結プレート２７の雌ねじ孔２７ｈに締結する。これにより、カバーブラケット３０が、メインブラケット２０のブラケット本体２１に締結される。収容溝２５に収容された横フレーム４は、収容溝２５の内面とカバープレート３１との間に挟み込まれて保持される。
【００４５】
このように、本実施形態では、仕切装置１は、床面Ｆ上に設置されるベース部２と、ベース部２から上方に向かって接近するように延在する一対の支柱３と、一対の支柱３の上端部３ｔに支持されるとともに、左右方向に延在する横フレーム４と、横フレーム４に支持された膜材５と、を備える。
このように、柔軟な印象を呈する膜材５を支持する横フレーム４が、一対の支柱３の上端部３ｔに支持されることで、一本の支柱のみで横フレーム４を支持する場合に比較し、横フレーム４を強固に支持することができる。
また、一対の支柱３は、下方から上方に向かって接近するよう延在しているので、支柱３の安定性を確保しつつ、支柱３の上部では、支柱３が膜材５の両側に露出するのを抑え、軽快な印象を与えることができる。したがって、柔軟かつ軽快な印象を与えつつ、高い強度を有する仕切装置１を提供することが可能となる。
【００４６】
本実施形態では、ベース部２は、一方の支柱３の下端３ｂが接続された第一端部２ａと、他方の支柱３の下端３ｂが接続された第二端部２ｂと、第一端部２ａと第二端部２ｂとの間において、床面Ｆに沿って円弧状に湾曲した湾曲部２ｃと、を有する構成とした。
このような構成によれば、ベース部２が円弧状をなし、特徴的な外観を呈することができる。
【００４７】
本実施形態では、一対の支柱３は、下方から上方に向かうに従い平面視において湾曲部２ｃの曲率中心に向けて傾斜して延在している構成とした。
このような構成によれば、支柱３が湾曲部２ｃの曲率中心に向けて傾斜することで、スタンド本体１１の安定性が高まる。
【００４８】
本実施形態では、一対の支柱３の上端部３ｔをまとめて連結する連結部材１０を備え、横フレーム４が連結部材１０を介して支柱３に支持されている構成とした。
このような構成によれば、一対の支柱３の上端部３ｔと横フレーム４とを連結部材１０を介して連結することで、一対の支柱３の上端部３ｔと横フレーム４とを溶接により接合する場合に比較し、組立性に優れる。また、膜材スタンド１２の組立前の状態では、嵩張ることを抑え、運搬等の取り扱いを容易に行うことができる。
【００４９】
本実施形態では、連結部材１０は、一対の支柱３の上端部３ｔが挿入される支柱挿入凹部２２が形成されたメインブラケット２０を有する構成とした。
このような構成によれば、一対の支柱３の上端部３ｔを、支柱挿入凹部２２に挿入することで、一対の支柱３と連結部材１０のメインブラケット２０とを容易に連結することができる。
【００５０】
本実施形態では、連結部材１０が一対の支柱３の上端部３ｔ同士を連結する支柱連結プレート２７をさらに備え、支柱連結プレート２７は、一対の支柱３の上端部３ｔ同士を連結した状態で、支柱３の上端部３ｔとともに、支柱挿入凹部２２内に挿入されている構成とした。
このような構成によれば、一対の支柱３の上端部３ｔ同士を支柱連結プレート２７で連結することで、一対の支柱３が強固に連結される。また、一対の支柱３の上端部３ｔ同士を、支柱連結プレート２７で予め連結しておくことで、支柱挿入凹部２２内への挿入等の作業を容易に行うことができる。
【００５１】
本実施形態では、連結部材１０は、支柱挿入凹部２２に挿入された一対の支柱３の上端部３ｔをメインブラケット２０に締結する上端締結ボルト２３をさらに備える構成とした。
このような構成によれば、一対の支柱３とメインブラケット２０とが強固に連結される。これにより、仕切装置１の組立時には、一対の支柱３に強固に連結されたメインブラケット２０に、横フレーム４を取り付ければよく、横フレーム４の取付作業を容易かつ安定的に行うことができる。
【００５２】
本実施形態では、一対の支柱３は、横フレーム４の延伸方向に並んだ状態で支柱挿入凹部２２内に挿入されている構成とした。
このような構成によれば、一対の支柱３が並ぶ方向と、横フレーム４の延伸方向とを正確に位置合わせした状態で、一対の支柱３に対してメインブラケット２０を取り付けることができる。
【００５３】
本実施形態では、連結部材１０は、メインブラケット２０と、横フレーム４を挟んでメインブラケット２０に対向して配置されるとともに、メインブラケット２０に締結されるカバーブラケット３０と、を備える構成とした。
このような構成によれば、一対の支柱３は、上記したようにメインブラケット２０の支柱挿入凹部２２に挿入されることで、メインブラケット２０に連結される。また、横フレーム４は、互いに締結されるメインブラケット２０とカバーブラケット３０との間に挟み込まれた状態で保持される。すなわち、本実施形態の仕切装置１では、一対の支柱３を、メインブラケット２０の支柱挿入凹部２２に挿入した後、メインブラケット２０とカバーブラケット３０との間に横フレーム４を挟み込み、メインブラケット２０とカバーブラケット３０とを締結することで、組み立てることができる。
【００５４】
本実施形態では、メインブラケット２０に、横フレーム４の延伸方向に延び、横フレーム４の少なくとも一部を収容する収容溝２５が形成されている構成とした。
このような構成によれば、横フレーム４が、横フレーム４の延伸方向に交差する方向に移動するのを抑え、横フレーム４を安定的に保持することができる。
【００５５】
本実施形態では、収容溝２５に横フレーム４が収容された状態で、メインブラケット２０とカバーブラケット３０とが互いに直接突き当たるよう設けられている。
このような構成によれば、横フレーム４を挟むメインブラケット２０とカバーブラケット３０とが互いに直接突き当たることで、メインブラケット２０とカバーブラケット３０とが前後方向で位置決めされる。これにより、メインブラケット２０とカバーブラケット３０とで、横フレーム４を過度に強く挟み込むのを抑えることができる。
【００５６】
（その他の実施形態）
以上、本発明の好ましい実施例を説明したが、本発明はこれら実施例に限定されることはない。本発明の趣旨を逸脱しない範囲で、構成の付加、省略、置換、及びその他の変更が可能である。本発明は上記した説明によって限定されることはなく、添付の特許請求の範囲によってのみ限定される。
例えば、上記した実施形態では、ベース部２及び一対の支柱３によりスタンド本体１１を構成した場合について説明したが、この構成に限られない。支柱３は、少なくとも一対有していれば、３本以上設けてもよい。
【００５７】
上記した実施形態では、一対の支柱３の上端部３ｔと、横フレーム４の中央部と、を連結する連結部材１０をさらに備える構成としたが、連結部材１０の具体的な形状や構成は適宜変更可能である。例えば、支柱連結プレート２７を備えるようにしたが、これを備えない構成とすることもできる。
【００５８】
上記した実施形態では、雄ねじ部３２をカバーブラケット３０に設けるようにしたが、雄ねじ部をメインブラケット２０側に設け、カバーブラケット３０側に雄ねじ部が締結される雌ねじ部を備えるようにしてもよい。さらに、締結部材は、カバーブラケット３０及びメインブラケット２０とは別体としてもよい。
【００５９】
上記した実施形態では、メインブラケット２０に収容溝２５が形成された構成について説明したが、この構成に限られない。収容溝２５は、カバーブラケット３０のみ、又はメインブラケット２０及びカバーブラケット３０の双方に形成された構成であってもよい。
上記した実施形態では、横フレーム４が左右方向に直線状に延在する構成について説明したが、この構成のみに限られない。横フレーム４は、上下方向に交差する方向に延在していればよく、また湾曲して延在していてもよい。
上記した実施形態では、支柱３が横フレーム４の中央部を支持する構成について説明したが、この構成に限られない。支柱３は、横フレーム４の中央部から左右方向にずれた位置で横フレーム４を支持していてもよい。
【００６０】
上記した実施形態では、一対の支柱３と横フレーム４とを、連結部材１０で連結するようにしたが、これに限らない。一対の支柱３と横フレーム４とを、溶接等により接合するようにしてもよい。
【００６１】
その他、本発明の趣旨を逸脱しない範囲で、上記した実施形態における構成要素を周知の構成要素に置き換えることは適宜可能であり、また、上記した各変形例を適宜組み合わせてもよい。
【符号の説明】
【００６２】
１  仕切装置
２  ベース部
２ａ  第一端部（第一接続部）
２ｂ  第二端部（第二接続部）
２ｃ  湾曲部
３  支柱
３ｔ  上端部
４  横フレーム
５  膜材
１０  連結部材
２０  メインブラケット（第一部材）
２２  支柱挿入凹部
２３  上端締結ボルト
２５  収容溝
２７  支柱連結プレート（支柱連結部材）
３０  カバーブラケット（第二部材）
Ｆ  床面
【図１】
2020062138.tif 000003
【図２】
2020062138.tif 000004
【図３】
2020062138.tif 000005
【図４】
2020062138.tif 000006
【図５】
2020062138.tif 000007
【図６】
2020062138.tif 000008
【図７】
2020062138.tif 000009
【図８】
2020062138.tif 000010
【図９】
2020062138.tif 000011
【図１０】
2020062138.tif 000012